(57)【要約】【課題】情報閲覧者の指向に応じて、情報データベースに情報が登録されたときに、この情報が登録された旨を自動的に即座に通知する。【解決手段】検索装置が、情報を情報ＤＢ１に登録する操作を行った情報登録者、及びこの情報についての端末２に対する通知の要否を示す監視用データを含むこの情報の属性を記憶する情報属性ＤＢ４と、情報に対する閲覧履歴を記憶する閲覧履歴ＤＢ５に複数の情報閲覧者とこれらの情報閲覧者によって閲覧された情報の情報登録者とを閲覧履歴として書き込み、情報登録者についての情報閲覧者ごとの情報閲覧回数を集計する情報閲覧要求処理部６と、情報閲覧回数が基準回数を超えた場合に監視用データに要通知の設定を行い、監視用データが要通知を示す場合には基準回数を超えた情報閲覧回数分情報を閲覧した情報閲覧者の端末２に対してこの情報が登録された旨の通知を行う通知判断処理部７とを備える。【選択図】図１
2008310408.tif 000002
【特許請求の範囲】
【請求項１】
情報を記憶する情報データベースと、
情報閲覧の要求に基づきこの情報データベースを検索し、検索した結果をこの要求を送信した端末に返す検索処理部と、
情報を前記情報データベースに登録する操作を行った情報登録者、及びこの情報についての前記端末に対する通知の要否を示す監視用データを少なくとも含むこの情報の属性を記憶する情報属性データベースと、
前記情報データベースに記憶された情報に対する閲覧履歴を記憶する閲覧履歴データベースと、
この閲覧履歴データベースに、複数の情報閲覧者と、これらの情報閲覧者によって閲覧された情報を前記情報データベースに登録する操作を行った情報登録者とを前記閲覧履歴として書き込むとともに、この情報登録者についての情報閲覧者ごとの情報閲覧回数を集計する情報閲覧要求処理部と、
この情報閲覧要求処理部によって集計された情報閲覧回数と予め設定された基準回数とを比較してこの情報閲覧回数がこの基準回数を超えた場合には前記監視用データに要通知の設定を行うとともに、前記監視用データが要通知を示している場合には前記基準回数を超えた情報閲覧回数に亘って情報閲覧を行った情報閲覧者の端末に対してこの情報が登録された旨の通知を行う通知判断処理部と、
を備えたことを特徴とする情報登録通知機能付き検索装置。
【請求項２】
前記情報属性データベースは、前記情報登録者が所属する組織と、複数の情報閲覧者によって閲覧された情報のカテゴリとを前記属性として更に記憶しており、
前記情報閲覧要求処理部は、この組織についての情報閲覧者ごとの情報閲覧回数と、このカテゴリについての情報閲覧者ごとの情報閲覧回数とを集計し、
前記通知判断処理部は、前記情報登録者についての情報閲覧者ごとの情報閲覧回数と、前記組織についての情報閲覧者ごとの情報閲覧回数と、前記カテゴリについての情報閲覧者ごとの情報閲覧回数とのうちのいずれかの情報閲覧回数が前記基準回数を超えた場合には、前記監視用データに要通知の設定を行うことを特徴とする請求項１記載の情報登録通知機能付き検索装置。
【請求項３】
情報を記憶する情報データベースを有するサーバ装置と、
このサーバ装置に対して処理の要求を送信する複数の端末とを備え、
前記サーバ装置が、
前記複数の端末のうちの閲覧端末からの情報閲覧の要求に基づき前記情報データベースを検索し、検索した結果をこの閲覧端末に返す検索処理部と、
情報を前記情報データベースに登録する操作を行った情報登録者、及びこの情報についての前記端末に対する通知の要否を示す監視用データを少なくとも含むこの情報の属性を記憶する情報属性データベースと、
前記情報データベースに記憶された情報に対する閲覧履歴を記憶する閲覧履歴データベースと、
この閲覧履歴データベースに、複数の情報閲覧者と、これらの情報閲覧者によって閲覧された情報を前記情報データベースに登録する操作を行った情報登録者とを前記閲覧履歴として書き込むとともに、この情報登録者についての情報閲覧者ごとの情報閲覧回数を集計する情報閲覧要求処理部と、
この情報閲覧要求処理部によって集計された情報閲覧回数と予め設定された基準回数とを比較してこの情報閲覧回数がこの基準回数を超えた場合には前記監視用データに要通知の設定を行うとともに、前記監視用データが要通知を示している場合には前記基準回数を超えた情報閲覧回数に亘って情報閲覧を行った情報閲覧者の端末に対してこの情報が登録された旨の通知を行う通知判断処理部と、
を備えたことを特徴とするデータベースシステム。
【請求項４】
情報を記憶する記憶装置を有するサーバ装置が、このサーバ装置に対する端末からの情報閲覧の要求に基づき、この記憶装置を検索して得られた結果をこの端末に返すステップと、
前記サーバ装置が、情報を前記記憶装置に登録する操作を行った情報登録者、及びこの情報についての前記端末に対する通知の要否を示す監視用データを少なくとも含むこの情報の属性を前記記憶装置に記憶するステップと、
前記サーバ装置が、前記情報に対する閲覧履歴を前記記憶装置に記憶するステップと、
前記サーバ装置が、前記記憶装置に、複数の情報閲覧者と、これらの情報閲覧者によって閲覧された情報を前記記憶装置に登録する操作を行った情報登録者とを前記閲覧履歴として書き込むステップと、
前記サーバ装置が、この情報登録者についての情報閲覧者ごとの情報閲覧回数を集計するステップと、
前記サーバ装置が、集計した情報閲覧回数と予め設定しておいた基準回数との比較によりこの情報閲覧回数がこの基準回数を超えた場合には前記監視用データに要通知の設定を行うとともに、前記監視用データが要通知を示している場合には前記基準回数を超えた情報閲覧回数に亘って情報閲覧を行った情報閲覧者の端末に対してこの情報が登録された旨の通知を行うステップと、
を備えたことを特徴とする通知方法。
【請求項５】
情報を記憶する記憶装置を有するコンピュータに、
このコンピュータに対する端末からの情報閲覧の要求に基づき、この記憶装置を検索して得られた結果を出力する手順と、
情報を前記記憶装置に登録する操作を行った情報登録者、及びこの情報についての前記端末に対する通知の要否を示す監視用データを少なくとも含むこの情報の属性を前記記憶装置に記憶する手順と、
前記情報に対する閲覧履歴を前記記憶装置に記憶する手順と、
前記記憶装置に、複数の情報閲覧者と、これらの情報閲覧者によって閲覧された情報を前記記憶装置に登録する操作を行った情報登録者とを前記閲覧履歴として書き込む手順と、
この情報登録者についての情報閲覧者ごとの情報閲覧回数を集計する手順と、
集計した情報閲覧回数と予め設定しておいた基準回数との比較によりこの情報閲覧回数がこの基準回数を超えた場合には前記監視用データに要通知の設定を行うとともに、前記監視用データが要通知を示している場合には前記基準回数を超えた情報閲覧回数に亘って情報閲覧を行った情報閲覧者の端末に対してこの情報が登録された旨の通知を行う手順と、
を実行させるためのコンピュータプログラム。
【発明の詳細な説明】
【技術分野】
【０００１】
本発明は、大量、多種類の情報が登録されるデータベースシステムにおいて、情報がデータベースに登録された旨を情報閲覧者に対して通知することを支援する情報登録通知機能付き検索装置、データベースシステム、通知方法、及びコンピュータプログラムに関する。
【背景技術】
【０００２】
ＣＤの新譜、バージョンアップされたソフトウェア、又は蓄積された論文や文献を利用する場合に、データベースの情報が登録又は更新されたときに、登録や更新がされた旨を、データベースを有する装置から、情報の閲覧要求を送信した端末に対して通知する技術がある。
【０００３】
従来、データベースシステムでは、以下の（１）〜（３）のような手法によって、情報の登録の通知が、この通知を希望する情報閲覧者に対して行われている。
【０００４】
（１）情報登録者が情報をサーバ装置に登録した時に、情報登録者が知っている情報閲覧者のメールアドレスなどの通知先に、情報が登録されたことを通知するよう、情報登録者がサーバ装置に設定する。
【０００５】
（２）フォルダ内のファイルの削除や変更の状況を監視するファイル監視ソフトウェアを用いて、情報登録者が情報閲覧者のメールアドレスをフォルダに設定することによって、フォルダに新規なファイルが追加されたような場合には、ファイルが追加された旨がこのメールアドレスに宛てて通知される。
【０００６】
（３）情報閲覧者が通知を希望することを事前に情報登録者あるいはシステムに対して依頼する。（１）、（２）の手法は情報登録者が設定を行う場合の例であるが、（３）の手法は情報閲覧者が情報の登録を受けたい旨を設定する場合の例である。
【０００７】
コンテンツ検索システムに関しては、コンテンツ登録データベースに対してコンテンツデータが新規登録されると、以前このコンテンツデータを検索要求したユーザの検索要求装置に対して、このコンテンツデータが新規登録された旨を登録可能にする技術が知られている（例えば特許文献１参照）。
【０００８】
ユーザの指示に従って文書操作を行う文書操作手段と、文書操作が行われたときに、その旨の通知文書を所定のユーザの宛先に送信する通知文書送信手段とを備えた文書管理システムも提案されている（例えば特許文献２参照）。また、情報が登録された旨を通知する手法としてメーリングリストを用いたシステムも知られている。
【特許文献１】特開２００７−４３８４号公報
【特許文献２】特開２００６−２６８７０４号公報
【発明の開示】
【発明が解決しようとする課題】
【０００９】
しかしながら、上記の（１）から（３）の手法では、情報が登録された旨を通知するための設定を情報登録者又は情報閲覧者が行う必要があるため、情報登録者及び情報閲覧者のいずれか一方又は双方が、だれがどの情報を取り扱っているか、に関する知識を持っておく必要がある。
【００１０】
取り扱う情報量が増加することもあり、大きな組織では頻繁な人の異動があるため、データベースシステムを管理する者が、だれがどのような情報を扱っているかということを把握できなくなる場合がある。この場合、情報を登録した旨の通知の漏れが生じる。情報登録者が情報を迅速に作成しても、その情報を必要とする人に対して情報が登録された旨の通知が迅速に届かない。
【００１１】
逆に、通知を確実にするために、情報登録者が、情報に対して通知設定の種別の数を多くすると、情報閲覧者に対して真に必要な情報以外の登録の旨も通知される。
【００１２】
上述した特許文献１に記載の技術では、コンテンツの作成者に関する活動状況を情報閲覧者が知らない場合、情報閲覧者はコンテンツを得ることができない。特許文献２に記載の技術は、閲覧者の履歴を通知に用いているが、この技術では、新規登録の通知を、情報の登録時にシステム側に通知しておく必要がある。
【００１３】
メーリングリストを用いた手法では、複数のユーザどうしがメールの送信及び返信を行うため、情報閲覧者が多数の余分なメールの中から、真に必要な情報を得ることが困難である。
【００１４】
本発明は、上記の課題に鑑み、情報閲覧者の指向に応じて、情報データベースに情報が登録されたときに、この情報が登録された旨を自動的に情報閲覧者に対して即座に通知することができる、情報登録通知機能付き検索装置、データベースシステム、通知方法及びコンピュータプログラムを提供することを目的とする。
【課題を解決するための手段】
【００１５】
本発明の一態様によれば、情報を記憶する情報データベースと、情報閲覧の要求に基づきこの情報データベースを検索し、検索した結果をこの要求を送信した端末に返す検索処理部と、情報を前記情報データベースに登録する操作を行った情報登録者、及びこの情報についての前記端末に対する通知の要否を示す監視用データを少なくとも含むこの情報の属性を記憶する情報属性データベースと、前記情報データベースに記憶された情報に対する閲覧履歴を記憶する閲覧履歴データベースと、この閲覧履歴データベースに、複数の情報閲覧者と、これらの情報閲覧者によって閲覧された情報を前記情報データベースに登録する操作を行った情報登録者とを前記閲覧履歴として書き込むとともに、この情報登録者についての情報閲覧者ごとの情報閲覧回数を集計する情報閲覧要求処理部と、この情報閲覧要求処理部によって集計された情報閲覧回数と予め設定された基準回数とを比較してこの情報閲覧回数がこの基準回数を超えた場合には前記監視用データに要通知の設定を行うとともに、前記監視用データが要通知を示している場合には前記基準回数を超えた情報閲覧回数に亘って情報閲覧を行った情報閲覧者の端末に対してこの情報が登録された旨の通知を行う通知判断処理部と、を備えたことを特徴とする情報登録通知機能付き検索装置が提供される。
【００１６】
また、本発明の別の一態様によれば、情報を記憶する情報データベースを有するサーバ装置と、このサーバ装置に対して処理の要求を送信する複数の端末とを備え、前記サーバ装置が、前記複数の端末のうちの端末からの情報閲覧の要求に基づき前記情報データベースを検索し、検索した結果をこの端末に返す検索処理部と、情報を前記情報データベースに登録する操作を行った情報登録者、及び前記端末に対する通知の要否を示す監視用データを少なくとも含むこの情報の属性を記憶する情報属性データベースと、前記情報データベースに記憶された情報に対する閲覧履歴を記憶する閲覧履歴データベースと、この閲覧履歴データベースに、複数の情報閲覧者と、これらの情報閲覧者によって閲覧された情報を前記情報データベースに登録する操作を行った情報登録者とを前記閲覧履歴として書き込むとともに、この情報登録者についての情報閲覧者ごとの情報閲覧回数を集計する情報閲覧要求処理部と、この情報閲覧要求処理部によって集計された情報閲覧回数と予め設定された基準回数とを比較してこの情報閲覧回数がこの基準回数を超えた場合には前記監視用データに要通知の設定を行うとともに、前記監視用データが要通知を示している場合には前記基準回数を超えた情報閲覧回数に亘って情報閲覧を行った情報閲覧者の端末に対してこの情報が登録された旨の通知を行う通知判断処理部と、を備えたことを特徴とするデータベースシステムが提供される。
【００１７】
また、本発明の別の一態様によれば、情報を記憶する記憶装置を有するサーバ装置が、このサーバ装置に対する端末からの情報閲覧の要求に基づき、この記憶装置を検索して得られた結果をこの端末に返すステップと、前記サーバ装置が、情報を前記記憶装置に登録する操作を行った情報登録者、及びこの情報についての前記端末に対する通知の要否を示す監視用データを少なくとも含むこの情報の属性を前記記憶装置に記憶するステップと、前記サーバ装置が、前記情報に対する閲覧履歴を前記記憶装置に記憶するステップと、前記サーバ装置が、前記記憶装置に、複数の情報閲覧者と、これらの情報閲覧者によって閲覧された情報を前記記憶装置に登録する操作を行った情報登録者とを前記閲覧履歴として書き込むステップと、前記サーバ装置が、この情報登録者についての情報閲覧者ごとの情報閲覧回数を集計するステップと、前記サーバ装置が、集計した情報閲覧回数と予め設定しておいた基準回数との比較によりこの情報閲覧回数がこの基準回数を超えた場合には前記監視用データに要通知の設定を行うとともに、前記監視用データが要通知を示している場合には前記基準回数を超えた情報閲覧回数に亘って情報閲覧を行った情報閲覧者の端末に対してこの情報が登録された旨の通知を行うステップと、を備えたことを特徴とする通知方法が提供される。
【００１８】
また、本発明の別の一態様によれば、情報を記憶する記憶装置を有するコンピュータに、このコンピュータに対する端末からの情報閲覧の要求に基づき、この記憶装置を検索して得られた結果を出力する手順と、情報を前記記憶装置に登録する操作を行った情報登録者、及びこの情報についての前記端末に対する通知の要否を示す監視用データを少なくとも含むこの情報の属性を前記記憶装置に記憶する手順と、前記情報に対する閲覧履歴を前記記憶装置に記憶する手順と、前記記憶装置に、複数の情報閲覧者と、これらの情報閲覧者によって閲覧された情報を前記記憶装置に登録する操作を行った情報登録者とを前記閲覧履歴として書き込む手順と、この情報登録者についての情報閲覧者ごとの情報閲覧回数を集計する手順と、集計した情報閲覧回数と予め設定しておいた基準回数との比較によりこの情報閲覧回数がこの基準回数を超えた場合には前記監視用データに要通知の設定を行うとともに、前記監視用データが要通知を示している場合には前記基準回数を超えた情報閲覧回数に亘って情報閲覧を行った情報閲覧者の端末に対してこの情報が登録された旨の通知を行う手順と、を実行させるためのコンピュータプログラムが提供される。
【発明の効果】
【００１９】
本発明によれば、情報が登録された旨の通知に関する事前の設定が不要となり、情報登録者への通知先が不明である場合においても通知の漏れを少なくすることができ、また、余分なメールなどの無駄な通知を削減することができる。
【発明を実施するための最良の形態】
【００２０】
以下、本発明の実施の形態に係る情報登録通知機能付き検索装置、データベースシステム、通知方法、及びコンピュータプログラムについて、図面を参照しながら説明する。尚、各図において同一箇所については同一の符号を付すとともに、重複した説明は省略する。
【００２１】
（第１の実施形態）
図１は本発明の第１の実施形態に係る情報登録通知機能付き検索装置の構成図である。本実施形態に係る検索装置は、情報を記憶する情報データベース１（以下、情報ＤＢ１と呼ぶ）と、情報閲覧の要求に基づきこの情報ＤＢ１を検索し、検索した結果をこの要求を送信した閲覧端末２に返す検索処理部３と、情報を情報ＤＢ１に登録する操作を行った情報登録者、及びこの情報についての閲覧端末２に対する通知の要否を示す監視用データを含むこの情報の属性を記憶する情報属性データベース４（以下、情報属性ＤＢ４と呼ぶ）と、情報ＤＢ１に記憶された情報に対する閲覧履歴を記憶する閲覧履歴データベースとしての情報閲覧データベース５（以下、情報閲覧ＤＢ５と呼ぶ）と、この情報閲覧ＤＢ５に閲覧履歴を書き込むとともに、複数の情報閲覧者によって閲覧された情報の閲覧回数をこれらの情報閲覧者ごとに集計する情報閲覧要求処理部６と、予め設定された条件が満たされると閲覧端末２に対して情報の登録を通知する通知判断処理部７と、登録端末８からの情報の登録又は更新の要求に基づき情報属性ＤＢ４に属性を書き込む登録処理部９とを備えている。この検索装置にはパソコンが用いられる。
【００２２】
情報ＤＢ１には、音楽などのコンテンツデータや、アプリケーションプログラムなどのソフトウェア、あるいは特許の文献などの文書ファイルが記憶されている。閲覧端末２は、この検索装置と通信回線によって接続されている。検索処理部３は、情報ＤＢ１を検索し、情報閲覧の要求に含まれる検索条件に合致するデータを抽出し、この抽出した結果を検索結果として閲覧端末２に送信する。
【００２３】
情報属性ＤＢ４は、情報登録者が所属する組織と、複数の情報閲覧者によって閲覧された情報のカテゴリとを属性として更に記憶している。組織とは、会社、事業所やこれらの会社、事業所の部門を指す。この組織が情報登録者とは別に登録されることによって、通知を受け取ることを希望している組織の中の担当者の通知先が変更された場合にも、組織はこの通知を受け取ることが可能にされている。
【００２４】
情報のカテゴリの例は、ポップ、ロック、民謡などの音楽のジャンルや、アプリケーションの種類や、論文及び文献の技術分野である。登録処理部９が情報ＤＢ１に情報の登録又は更新を行うたびに、情報登録者、組織、及びカテゴリを指し示すキーワードといった比較的小容量のデータが情報属性ＤＢ４に書き込まれる。
【００２５】
情報の属性のうちの監視用データは、情報閲覧要求処理部６によって書き込まれる。情報閲覧ＤＢ５は、複数の情報閲覧者と、これらの情報閲覧者によって閲覧された情報を情報ＤＢ１に登録する操作を行った情報登録者とを閲覧履歴として記憶する。
【００２６】
情報閲覧要求処理部６は、情報登録者が所属する組織についての情報閲覧者ごとの情報閲覧回数と、情報のカテゴリについての情報閲覧者ごとの情報閲覧回数とを集計する。この情報閲覧要求処理部６は、情報ＤＢ１の検索処理によって、検索条件に合致する情報と、検索実行によっても情報が得られない場合において検索が失敗したことを表す値とを検索処理の返り値として生成する。
【００２７】
情報閲覧要求処理部６は、この返り値に書き込まれた情報閲覧者の一覧を閲覧履歴として参照する。本実施形態に係る検索装置は、複数の情報閲覧者が情報ＤＢ１の情報にアクセスできる権限の範囲を決めるデータを記憶しており、セキュリティ性を向上させるためにこのデータを用いて閲覧端末２からの情報へのアクセス管理を行っている。情報閲覧要求処理部６の機能は、このアクセス管理のためのログを作成する手段によって実現される。
【００２８】
通知判断処理部７は、情報登録者についての情報閲覧者ごとの情報閲覧回数と、組織についての情報閲覧者ごとの情報閲覧回数と、カテゴリについての情報閲覧者ごとの情報閲覧回数とのうちのいずれかの情報閲覧回数が基準回数を超えた場合には、監視用データに要通知の設定を行う。
【００２９】
図２は通知判断処理部７のブロック図である。通知判断処理部７は、情報閲覧ＤＢ５のデータと情報属性ＤＢ４のデータとのマッチング判定を行うマッチング判定処理部１０と、このマッチング判定処理部１０におけるマッチング判定用の基準回数を判定の条件としてマッチング判定処理部１０に設定する判定基準設定部１１と、閲覧端末２に対して通知を行う通知部１２とを備えている。
【００３０】
判定の条件とは、例えばある情報が５回以上閲覧された場合にはその情報の情報登録者が新規に情報を登録したときに閲覧端末２に対して通知を行う、といったことを指す。判定基準設定部１１による基準回数の設定は、予め情報登録者、及び検索装置の管理者のいずれかが設定端末１３を操作することにより行われる。
【００３１】
なお、判定基準設定部１１への設定を閲覧端末２が行ってもよい。
【００３２】
これにより、通知判断処理部７は、情報閲覧要求処理部６によって集計された情報閲覧回数と予め設定された基準回数とを比較してこの情報閲覧回数がこの基準回数を超えた場合には監視用データに要通知の設定を行うとともに、監視用データが要通知を示している場合には基準回数を超えた情報閲覧回数に亘って情報閲覧を行った情報閲覧者の端末に対してこの情報が登録された旨の通知を行う。
【００３３】
閲覧端末２、登録端末８、及び設定端末１３にはパソコンが用いられる。情報ＤＢ１、情報属性ＤＢ４、及び情報閲覧ＤＢ５の機能はいずれもパソコンに内蔵又は増設されたハードディスクや、ＣＤ−ＲＯＭ、ＤＶＤ−ＲＯＭや、パソコンと挿抜可能なフラッシュメモリやフロッピー（登録商標）ディスク等の記憶媒体によって実現される。
【００３４】
検索処理部３、情報閲覧要求処理部６、通知判断処理部７及び登録処理部９の各機能は、ＣＰＵ（中央演算装置）、ＲＯＭ、及びＲＡＭ等により実現される。
【００３５】
また、上記の検索処理部３、情報閲覧要求処理部６、及び通知判断処理部７の各機能は記録媒体に記録されたプログラムの実行によっても実現される。
【００３６】
本実施形態に係るコンピュータプログラムは、記憶装置を有するコンピュータに対する閲覧端末２からの情報閲覧の要求に基づき、この記憶装置を検索して得られた結果を出力する手順と、情報登録者及び監視用データとを含む情報の属性を記憶装置に記憶する手順と、情報に対する閲覧履歴を記憶装置に記憶する手順と、この記憶装置に複数の情報閲覧者と情報登録者とを閲覧履歴として書き込む手順と、この情報登録者についての情報閲覧者ごとの情報閲覧回数を集計する手順と、集計した情報閲覧回数と基準回数との比較によりこの情報閲覧回数がこの基準回数を超えた場合には監視用データに要通知の設定を行うとともに、監視用データが要通知を示している場合には基準回数を超えた情報閲覧回数に亘って情報閲覧を行った情報閲覧者の閲覧端末２に対してこの情報が登録された旨の通知を行う手順とをコンピュータに実行させるものである。
【００３７】
このような構成の本実施形態に係る情報登録通知機能付き検索装置の動作について説明する。図３は本実施形態に係る検索装置における通知設定処理の方法を説明するためのフローチャートである。
【００３８】
ステップＡ１において、設定端末１３は、通知判断処理部７に対して、通知の判断基準のデータを設定する。例えば、同一の登録者又は組織に対して一定回数以上の閲覧要求が行われた場合に、情報閲覧者に対して通知を行うといった判断基準が設定される。
【００３９】
ステップＡ２において、登録処理部９は、登録端末８からの情報登録の要求に基づいて情報ＤＢ１に情報を登録すると同時に、情報属性ＤＢ４に情報の登録者、所属組織、及びカテゴリを記録する。ステップＡ３において、閲覧端末２からの情報閲覧の要求に基づいて、検索処理部３は情報ＤＢ１を検索する。
【００４０】
ステップＡ４において、検索処理部３が必要な情報を見つけると、情報閲覧要求処理部６は、この情報をダウンロードする処理を行うとともに、情報閲覧ＤＢ５に情報閲覧者、閲覧された情報の登録を行った情報登録者、所属組織、及びカテゴリを記録する。具体的には、検索処理の結果生成される返り値から、閲覧履歴として参照される情報閲覧者の一覧がかすめ取られて、この一覧が情報閲覧ＤＢ５に書き込まれる。
【００４１】
ステップＡ５において、情報閲覧要求処理部６は、情報閲覧ＤＢ５に関して、情報閲覧者ごとに閲覧された情報の情報登録者、所属組織、及びカテゴリを集計する。
【００４２】
ステップＡ６において、情報閲覧要求処理部６は、情報について、ステップＡ５において集計した結果と、ステップＡ１にて設定しておいた通知判断のための基準とを比較する。ステップＡ６において、集計した結果がこの基準を上回っていた場合は、ＹＥＳルートを通り、ステップＡ７において、情報閲覧要求処理部６は、情報属性ＤＢ４内の監視用データに要通知である旨をその情報に設定する。
【００４３】
なお、ステップＡ６において、集計した結果が基準を上回っていない場合には、ＮＯルートを通り、検索装置は通知設定の処理を終える。
【００４４】
また、図４は本実施形態に係る検索装置における情報閲覧者への通知処理の方法を説明するためのフローチャートである。通知判断処理部７は、情報属性ＤＢ４の属性を監視しており（ステップＢ１）、登録又は更新された情報についての監視用データが通知設定されているかどうかを判定する（ステップＢ２）。
【００４５】
ステップＢ２において、通知判断処理部７が、通知設定されている情報が登録されていることを発見した場合は、ＹＥＳルートを通り、ステップＢ３において、情報閲覧者に対して通知を行う。ステップＢ２において、通知判断処理部７は、通知設定されている情報が登録されていないと判定した場合には、ＮＯルートを通り、検索装置は、通知処理を終える。
【００４６】
このようにして、本実施形態に係る検索装置は、情報閲覧者の過去の閲覧履歴に基づいて通知を自動的に行うことができる。この検索装置は次の（１）から（３）のような効果を得ることができる。
【００４７】
（１）情報が登録された旨の通知に関する事前の設定が不要となる。
【００４８】
（２）メールアドレスなど情報登録者への通知先が不明である場合においても、情報が登録された旨の通知を行うことができる。すなわち、通知の漏れが少なくなる。
【００４９】
（３）余分なメールなどの無駄な通知を削減することができる。
【００５０】
従って、コンテンツデータの配信を行う者、ソフトウェアメーカ、又は文書ファイルの作成者が複数に亘っている場合、これらの配信者、メーカ、又は作成者のうちの特定の者が、情報の登録や更新を行ったことを情報閲覧者は知ることができる。
【００５１】
また、通知を希望する旨の設定を、情報閲覧者が検索装置に予め設定しなくても、この通知が情報閲覧者に自動的に行われる。多種類のコンテンツデータ、ソフトウェア、又は文書ファイルについての登録や更新の通知を情報閲覧者が希望する場合でも、情報閲覧者はこれらの情報の登録又は更新の通知を受け取ることができるようになる。
【００５２】
例えば歌手の新譜といった作品の作者が作品を発売したかどうかをユーザが逐次チェックしていなくても、ユーザは特定の作者の作品が登録されたことを知ることができる。従来技術を用いた場合に必要であった個別の通知設定や、通知依頼の設定のための操作が不要となる。
【００５３】
結果として、登録者も情報閲覧者も本来の作業に集中することができ、業務の効率化が図れる。情報閲覧者の指向に応じて、情報ＤＢ１に情報が登録されたときに、この情報が登録された旨を自動的に即座に通知することができるようになる。
【００５４】
このように、本実施形態に係る情報登録通知機能付き検索装置によれば、カテゴリやコンテンツの作者等を予め情報閲覧者が知っていなくても、自動的にコンテンツが新規に登録されたことを知ることができるようになる。
【００５５】
特定の情報の更新の通知のみならず、特定の作成者によって作成された情報が新規に登録された場合においても新規登録の旨が情報閲覧者に必ず通知されるようになる。情報が登録された旨の通知に関する事前の設定が不要となり、情報登録者への通知先が不明である場合においても通知の漏れを少なくすることができ、また、余分なメールなどの無駄な通知を削減することができる。
【００５６】
また、コンテンツデータの配信を行う者、ソフトウェアメーカ、又は文書ファイルの作成者も、情報を登録した際に、情報を登録した旨を情報閲覧者に対して通知する労力が軽減されるようになる。
【００５７】
また、本実施形態に係るコンピュータプログラムをＣＤ−ＲＯＭ、ＤＶＤ−ＲＯＭ、フラッシュメモリ又はフロッピー（登録商標）ディスクなどに記録しておき、これらの記録媒体あるいは記憶媒体に記録されたコンピュータプログラムをコンピュータにインストールし、このプログラムをコンピュータに実行させることによって、本実施形態に係る検索装置により得られた効果と同様の効果を得ることができる。
【００５８】
また、コンピュータプログラムを、ハードディスクやパソコンから取り外し可能な各種の記憶媒体に保存することによって、情報が登録された旨を通知する方法を実行させるためのプログラムの保存、運搬、販売等を容易に行える。
【００５９】
また、情報ＤＢ１、情報属性ＤＢ４、情報閲覧ＤＢ５、検索処理部３、情報閲覧要求処理部６、及び登録処理部９の機能を予めパソコンに構成しておき、このパソコンに対して通知判断処理部７の機能を備えた別のパソコンを接続することによっても、本実施形態に係る検索装置により得られる効果と同様の効果が得られる。
【００６０】
あるいは、情報ＤＢ１と、この情報ＤＢ１の入力側に設けた登録処理部９と、情報ＤＢ１の出力側に設けた検索処理部３及び情報閲覧要求処理部６とを予めパソコンに構成しておき、このパソコンに対して、情報属性ＤＢ４、情報閲覧ＤＢ５及び通知判断処理部７の３つの機能を有する別のパソコン装置を接続することによっても上記の効果と同様の効果が得られる。
【００６１】
（第２の実施形態）
本発明の第１の実施形態に係る情報登録通知機能付き検索装置はパソコン単体によって構成されていたが、情報登録通知機能は、クライアントサーバ型のデータベースシステムによっても実現される。
【００６２】
本発明の第２の実施形態に係るデータベースシステムは、記憶装置を有するサーバ装置と、このサーバ装置に対して処理の要求を送信する複数の端末としての閲覧端末２、登録端末８及び設定端末１３と、サーバ装置及びこれらの端末の間を接続するＬＡＮなどのネットワークとを備えて構成されている。
【００６３】
サーバ装置の記憶装置には、本発明の第１の実施形態に係る情報登録通知機能付き検索装置に設けられた情報ＤＢ１、検索処理部３、情報属性ＤＢ４、情報閲覧ＤＢ５、情報閲覧要求処理部６、通知判断処理部７、及び登録処理部９の各機能が実現されている。
【００６４】
これにより、本実施形態に係る通知方法は、サーバ装置が、閲覧端末２からの情報閲覧の要求に基づき、この記憶装置を検索して得られた結果をこの閲覧端末２に返し、情報登録者及び監視用データを含む情報の属性を記憶装置に記憶し、情報に対する閲覧履歴を記憶装置に記憶し、この記憶装置に、複数の情報閲覧者と情報登録者とを閲覧履歴として書き込み、この情報登録者についての情報閲覧者ごとの情報閲覧回数を集計し、そして、集計した情報閲覧回数と基準回数との比較によりこの情報閲覧回数がこの基準回数を超えた場合には監視用データに要通知の設定を行い、監視用データが要通知を示している場合には基準回数を超えた情報閲覧回数に亘って情報閲覧を行った情報閲覧者の閲覧端末２に対してこの情報が登録された旨の通知を行う。
【００６５】
本実施形態に係るデータベースシステム及び通知方法によれば、次の（４）及び（５）のような効果が得られる。
【００６６】
（４）既存のサーバ装置が有する情報のデータベース機能、情報の登録処理機能、及びデータベースからの情報の検索処理機能をそのまま利用して情報が登録された旨を自動的に通知する機能を、サーバ装置に実装することができる。
【００６７】
（５）既存のサーバ装置が有する情報属性のデータベース機能、情報閲覧のデータベース機能、及びアクセス管理用のログの作成機能を実現するソフトウェアの修正量が少なく、かつ既存のサーバ装置に通知判断処理部７の機能を実現するソフトウェアを追加することによって、情報登録の自動通知機能を、サーバ装置に実装することができる。
【００６８】
本実施形態に係るデータベースシステムは、本実施形態に係る通知方法をパソコン等のコンピュータに実行させるためのプログラムを保存してもよい。本実施形態に係るコンピュータプログラムも、本発明の第１の実施形態に係るコンピュータプログラムと同様のものであり、コンピュータが、このプログラムを読み出すことにより、データベースシステムに処理を実行させる。本実施形態に係るコンピュータプログラムによれば、上記の（４）及び（５）と同様の効果を得ることができる。
【００６９】
また、情報ＤＢ１、情報属性ＤＢ４、情報閲覧ＤＢ５、検索処理部３、情報閲覧要求処理部６、通知判断処理部７、及び登録処理部９の各機能を予めネットワークに接続された複数のパソコンに構成しておき、これらのパソコンに対して閲覧端末２、登録端末８及び設定端末１３として機能する複数の端末がアクセスすることによっても、やはり、本実施形態に係るデータベースシステム及び通知方法によって得られる効果と同様の効果が得られる。
【００７０】
（第３の実施形態）
上記の情報ＤＢ１、情報属性ＤＢ４及び情報閲覧ＤＢ５の３つのデータベースの機能と、検索処理部３、情報閲覧要求処理部６、通知判断処理部７及び登録処理部９の各機能を有するデータベース管理部としての機能とを別個に実現するように構成してもよい。
【００７１】
図５は本発明の第３の実施形態に係る情報登録通知機能付き検索装置の構成図である。本実施形態に係る検索装置は、情報ＤＢ１と、情報属性ＤＢ４と、情報閲覧ＤＢ５と、上記の検索処理部３、情報閲覧要求処理部６、通知判断処理部７及び登録処理部９の各機能を有するデータベース管理部１４（以下、ＤＢ管理部１４と呼ぶ）とを備えている。検索装置にはパソコンが用いられる。
【００７２】
この検索装置と、登録端末８、設定端末１３及び閲覧端末２との間は通信回線によって接続されており、登録端末８、設定端末１３及び閲覧端末２の間も通信回線によって接続されている。ＤＢ管理部１４の機能は、ＣＰＵ、ＲＯＭ及びＲＡＭなどにより実現される。これら以外のもので図５に示す要素のうち上述した符号と同じ符号を有する要素はそれらと同じものである。
【００７３】
このような構成の検索装置に対して、登録端末８、設定端末１３、又は閲覧端末２から、処理の要求が送信されると、ＤＢ管理部１４は、これらの端末からの処理の要求に含まれる処理の内容にしたがって、情報ＤＢ１、情報属性ＤＢ４、及び情報閲覧ＤＢ５のうちのいずれかにアクセスする。具体的には、処理の要求が検索又は閲覧の要求である場合、ＤＢ管理部１４は情報ＤＢ１と情報閲覧ＤＢ５とにアクセスする。
【００７４】
本実施形態に係る情報登録通知機能付き検索装置によれば、３つのデータベースと、これらのデータベースへの処理を行うソフトウェアとが別個に構成されるため、これらのデータベースやソフトウェアの管理の手間が容易になる。
【００７５】
また、本実施形態に係る情報登録通知機能付き検索装置によれば、本発明の第１の実施形態に係る情報登録通知機能付き検索装置によって得られる効果と同様の効果が得られる。
【００７６】
また、情報登録通知機能は、クライアントサーバ型のデータベースシステムによっても実現可能である。この場合には、ＤＢ管理部１４の機能を図示しないネットワークに接続されたパソコンに発揮させることによって、本発明の第２の実施形態に係るデータベースシステム及び通知方法により得られる効果と同様の効果を得ることができる。
【００７７】
このようにして、本発明の情報登録通知機能付き検索装置、データベースシステム、通知方法及びコンピュータプログラムによれば、情報が登録された旨の通知に関する事前の設定を不要とすることができ、情報登録者への通知先が不明である場合においても通知の漏れが少なくなり、また、例えば余分なメールなどの無駄な通知を削減することができるようになる。
【００７８】
（その他）
尚、本発明は上記実施形態そのままに限定されるものではなく、実施段階ではその要旨を逸脱しない範囲で構成要素を変形して具体化できる。上記の実施形態では、情報の登録の通知を情報閲覧者が受け取る期間には有効期限は設定されていなかったが、本発明の情報登録通知機能付き検索装置は、通知判断処理部７に、期間データを設定しておくこともできる。
【００７９】
通知判断処理部７は、１か月に５件まで通知する、といった期間付きの条件を設定しておく。この期間データを条件として設定することによって、情報閲覧データベース５に溜められた履歴のうちの有効期限を過ぎた履歴についての通知処理が省かれる。閲覧端末２、登録端末８、及び設定端末１３の設置台数はいずれも複数でもよい。
【００８０】
また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００８１】
【図１】本発明の第１の実施形態に係る情報登録通知機能付き検索装置の構成図である。
【図２】本発明の第１の実施形態に係る情報登録通知機能付き検索装置の通知判断処理部のブロック図である。
【図３】本発明の第１の実施形態に係る情報登録通知機能付き検索装置における通知設定処理の方法を説明するためのフローチャートである。
【図４】本発明の第１の実施形態に係る情報登録通知機能付き検索装置における情報閲覧者への通知処理の方法を説明するためのフローチャートである。
【図５】本発明の第３の実施形態に係る情報登録通知機能付き検索装置の構成図である。
【符号の説明】
【００８２】
１…情報データベース、２…閲覧端末、３…検索処理部、４…情報属性データベース、５…情報閲覧データベース（閲覧履歴データベース）、６…情報閲覧要求処理部、７…通知判断処理部、８…登録端末、９…登録処理部、１０…マッチング判定処理部、１１…判定基準設定部、１２…通知部、１３…設定端末、１４…データベース管理部。
【図１】
2008310408.tif 000003
【図２】
2008310408.tif 000004
【図３】
2008310408.tif 000005
【図４】
2008310408.tif 000006
【図５】
2008310408.tif 000007